(57)【要約】【課題】  ショーケースの１日における温度推移を示す温度履歴表示装置を提供する。【解決手段】  本発明の温度履歴表示装置２０は、設定された時間間隔ごとに測定した温度値を縦方向における高さとして表示する第１表示部２２を備え、この第１表示部２２において、設定された時間間隔ごとの測定温度値を、横方向に時系列的に並べて表示する。第１表示部２２は複数のＬＥＤが２次元的に配列されて構成され、縦方向において、色の異なるＬＥＤが配置される。これにより、温度の推移を買い物客に分かりやすく表現することが可能となる。【選択図】        図３
2005106774.tif 000002
【特許請求の範囲】
【請求項１】
設定された時間間隔ごとに測定した温度値を第１の方向における位置として表示する第１の表示部を備え、この第１の表示部において、設定された時間間隔ごとの測定温度値を、第１の方向とは異なる第２の方向に時系列的に並べて表示することを特徴とする温度履歴表示装置。
【請求項２】
第１の表示部は複数のＬＥＤが２次元的に配列されて構成され、第１の方向において、色の異なるＬＥＤが配置されることを特徴とする請求項１に記載の温度履歴表示装置。
【請求項３】
温度値を数値で示す第２の表示部が、第１の表示部に隣接して設けられることを特徴とする請求項１または２に記載の温度履歴表示装置。
【請求項４】
第２の表示部における数値は変更可能であることを特徴とする請求項３に記載の温度履歴表示装置。
【発明の詳細な説明】
【技術分野】
【０００１】
本発明は、食品店舗などに設置されるショーケースなどの機器の温度履歴を表示する技術に関する。
【背景技術】
【０００２】
スーパーマーケットやコンビニエンスストアなどの食品店舗には、食品保存・陳列用の低温ショーケースが設置されている。近年、ＨＡＣＣＰへの対応や、また消費者の食に対する安全意識の高まりから、低温で保存・陳列するべき食品の温度管理が重要となっている。従来のショーケースにおいては、現在の温度値しか表示されていないため、買い物客は、過去において温度が適切に維持されていたか否かを判断することはできない。従来、冷凍貯蔵庫や冷凍運搬車などにおける温度履歴をエレクトロルミネッセンス素子により表示する温度履歴計を提案するものがある（例えば、特許文献１参照。）。
【特許文献１】特開平８−１５９８８０号公報
【発明の開示】
【発明が解決しようとする課題】
【０００３】
ショーケースの庫内温度調節は、電磁弁を開弁することで配管を通じて冷凍機から冷媒を導入することで行われる。目標となる設定温度は、陳列対象とする食品により異なり、陳列する食品が冷凍食品の場合には−２０℃などの冷凍温度に、また、肉や魚などの生鮮食品の場合には例えば−３℃〜０℃などの氷温に、或いは、野菜などの場合には更に高い温度（＋５℃〜＋１０℃など）が設定温度となる。そのため、現在の温度が表示されていても、買い物客は、その温度が、陳列されている食品に対して適切なものであるか否かを判断することは困難である。
【０００４】
本発明は、このような課題に鑑みてなされたものであり、その目的は、ショーケースなどの機器における温度履歴を買い物客に分かりやすく提示する技術を提供することにある。
【課題を解決するための手段】
【０００５】
上記課題を解決するために、本発明のある態様は、設定された時間間隔ごとに測定した温度値を第１の方向における位置として表示する第１の表示部を備え、この第１の表示部において、設定された時間間隔ごとの測定温度値を、第１の方向とは異なる第２の方向に時系列的に並べて表示する温度履歴表示装置を提供する。例えば、第１の方向は縦（高さ）方向であり、第２の方向は、縦方向に垂直な横方向であってよい。この場合、測定温度値は、縦方向における高さとして表現される。
【０００６】
この温度履歴表示装置をショーケースの温度履歴の表示に用いた場合、買い物客は、現在に至るまでの温度の推移を一目で把握することができ、安心して買い物をすることができる。これにより、買い物客の品質への信頼を得やすくなり、リピータの確保に大きな効果がある。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、ショーケースなどの機器における温度履歴を買い物客に分かりやすく提示する技術を提供することができる。
【発明を実施するための最良の形態】
【０００９】
図１は、ショーケース１および冷凍機２からなる冷設機器の構造を示す。このショーケース１は、縦型オープンショーケースであり、食品を並べるための貯蔵室３内には複数段の棚が架設されている。貯蔵室３の背方に位置する内層ダクト７内の下部には蒸発器４が縦設されている。貯蔵室３の上方には、外層吐出口５と内層吐出口６が前後に並設されており、外層吐出口５は外層ダクト８に、内層吐出口６は内層ダクト７にそれぞれ連通している。また、貯蔵室３の下方には吸込口９が形成され、底部ダクトに連通している。
【００１０】
底部ダクト内には送風機（図示せず）が設けられており、送風機が運転されると、底部ダクト内の空気は内層ダクト７および外層ダクト８に向けて吹き出される。外層ダクト８においてはそのまま吹き上げられると共に、内層ダクト７においては蒸発器４と熱交換した後吹き上げられ、外層吐出口５および内層吐出口６から、下方の吸込口９に向けてそれぞれ吹き出される。これによって、貯蔵室３の開口部には内側の冷気エアーカーテンとそれを保護する外側のエアーカーテンとが形成され、貯蔵室３への外気の侵入が阻止若しくは抑制されると共に、内側の冷気エアーカーテンの一部が貯蔵室３内に循環して貯蔵室３内が冷却される。制御温度センサ１３は、内層ダクト７から吐出される空気の温度を検出する。冷却空気は吸込口９から底部ダクトに帰還し、送風機に再び吸い込まれる。また、蒸発器４には霜取りヒータ１０が取り付けられており、発熱して蒸発器４の着霜を融解する。
【００１１】
ショーケース１には、温度履歴表示装置２０が取り付けられる。温度履歴表示装置２０は、ショーケース１と別体として形成されてもよいが、ショーケース１に内蔵されてショーケース１に一体として形成されてもよい。温度履歴表示装置２０は、設定された時間間隔ごとに測定した温度値を高さ方向の高さとして表示し、横方向に、設定された時間間隔ごとの測定温度値を時系列的に並べて表示する。これにより、温度履歴表示装置２０は、所定期間、例えば１日のショーケース１における温度の推移を表示する。買い物客は、この温度推移をみて、食品が安全に保存されていたことを確認することができる。
【００１２】
図２は、実施例に係るショーケース冷却システム３０の機能ブロック図を示す。ショーケース冷却システム３０は、複数のショーケース１を備え、それぞれのショーケース１には温度履歴表示装置２０が取り付けられている。制御装置３２は、各ショーケース１から、制御温度センサ１３において測定された空気温度を取得する。なお、ショーケース１が貯蔵室３内の温度を直接測定するセンサを有している場合には、制御装置３２は、そのセンサにより測定された空気温度を取得してもよい。制御装置３２は、各ショーケース１における設定温度値を予め保持している。これにより、制御装置３２は、各ショーケース１における設定温度値に対する測定温度値の関係を認識することができる。制御装置３２は、温度履歴表示装置２０とショーケース１との対応を把握し、各ショーケース１における温度履歴を、対応する温度履歴表示装置２０において表示させるようにする。温度履歴表示装置２０は、ＣＰＵやメモリなどのハードウェア構成を有し、制御装置３２から送られるデータを所定の表示形式で表示する。
【００１３】
図３は、温度履歴表示装置２０の外観を示す。温度履歴表示装置２０は、ＬＥＤを縦横２次元的に配列した第１表示部２２と、数値表示を可能とする第２表示部２４とを備える。第１表示部２２はＬＥＤで構成されることで、表示面積を小さくすることができる。第２表示部２４は、第１表示部２２に隣接した位置に設けられる。第１表示部２２において、横方向は時間を表現し、縦方向は測定した温度値を表現する。すなわち縦方向の一列のＬＥＤは、設定された時間間隔、この例では２時間ごとに測定した温度値を示す。
【００１４】
第１表示部２２において、色の異なるＬＥＤが縦方向に配置される。縦方向に全てのＬＥＤの色が異なるものであってもよいが、一部の色は共通であってもよい。例えば、下から３段目までのＬＥＤの色を緑、４段目の色を橙、５段目すなわち一番上の段の色を赤としてもよい。一般に緑色は、安全である印象を与え、赤色は危険である印象を与える。例えば、測定温度値が安全な範囲にあれば、その温度値を緑色で表現し、安全な範囲を超えれば、それ以外の色で表現することで、買い物客が、一目見て温度表示の意味を認識することができる。
【００１５】
第２表示部２４は、第１表示部２２における縦方向のＬＥＤに割り当てられた温度範囲を数値で示す。第２表示部２４は、２桁または３桁の７セグメントＬＥＤにより構成されてもよい。第２表示部２４の表示内容は、制御装置３２により定められる。例えば、ショーケース１の設定温度が−２℃である場合、制御装置３２は、この設定温度をもとに、温度領域を５つに分割する。この分割個数は、第１表示部２２における縦方向のＬＥＤの個数に合わせられる。ここでは、制御装置３２が、温度領域を、−５℃以下の温度範囲、−５℃より高く−２℃以下の温度範囲、−２℃より高く０℃以下の温度範囲、０℃より高く２℃以下の温度範囲、２℃より高い温度範囲の５つの温度範囲に分割する。第２表示部２４における４つの表示領域には、下から順に、−５℃、−２℃、０℃、＋２℃の数値が入力される。これにより、買い物客は、第１表示部２２のＬＥＤが示す温度範囲を一目で認識することができる。また、数値を変更可能とすることで、温度履歴表示装置２０を様々な設定温度をもつショーケース１に利用することも可能となる。
【００１６】
制御装置３２は、２時間ごとの温度値を、ショーケース１から取得した温度測定値を平均することで算出する。算出した温度値が−１℃である場合、第１表示部２２の下から３段目の緑色ＬＥＤが点灯する。なお、１段目と２段目の緑色ＬＥＤも同時に点灯してもよい。すなわち、第１表示部２２では、測定した温度値を縦方向の高さとして表示する。買い物客は、点灯しているＬＥＤの位置、また色分けされている場合には、点灯しているＬＥＤの色を見ることで、現在までのショーケース１の温度履歴を認識することができる。
【００１７】
なお、２時間ごとの温度測定値は、通常、平均値を用いることが好ましいが、平均値は正常であっても、品質保全の観点から許容できないショーケース１の運転が行われる場合もある。例えば、数十分という所定時間の間、温度が著しく上昇してしまった場合には、仮に残りの時間の空気温度を非常に下げたことによって平均値が正常となった場合であっても、ＬＥＤを赤表示、すなわち１番上段のＬＥＤを点灯させる。買い物客は、赤色ＬＥＤの点灯を見ると、そのショーケース１の食品の安全性に問題があることを判断することができる。一方で、赤色ＬＥＤが点灯していない場合には、現在までのショーケース１の運転において、品質を損なうような事態は一切発生していないことを確認できるため、買い物客は安心して食品を購入することができる。
【００１８】
なお、制御装置３２は、温度測定値に異常が発生した場合は、ただちに店舗オペレータに対して警告を発する。この警告は、音声によるものであっても、またモニタに警告画面を表示させるものであってもよい。店舗オペレータは、この警告を受けると、異常が発生したショーケース１の正常化に努めるため、実際には、最上段の赤色ＬＥＤが点灯することは稀であり、通常は、１段目から３段目までの緑色ＬＥＤの点灯のみが行われることになる。
【００１９】
以上、実施例をもとに本発明を説明した。なお本発明はこの実施例に限定されることなく、そのさまざまな変形例もまた、本発明の態様として有効である。
【図面の簡単な説明】
【００２０】
【図１】ショーケースおよび冷凍機からなる冷設機器の構造を示す図である。
【図２】実施例に係るショーケース冷却システムの機能ブロック図である。
【図３】温度履歴表示装置の外観を示す図である。
【符号の説明】
【００２１】
１・・・ショーケース、１３・・・制御温度センサ、２０・・・温度履歴表示装置、３０・・・ショーケース冷却システム、３２・・・制御装置。
【図１】
2005106774.tif 000003
【図２】
2005106774.tif 000004
【図３】
2005106774.tif 000005